(57)【要約】【課題】型枠支持を確実に行えて、コンクリート硬化後の突出部分の後処理も簡単であり、製造も簡単に行えるコンクリート型枠配置用の間隔保持具を提供すること。【解決手段】一枚の台板１１の一部を各型枠２０の下端を支承することになる支承部１２とし、この支承部１２の両側に、各型枠２０の下部両面にそれぞれ当接する少なくとも一対の支持突起１３を立ち上げ形成し、台板１１の支承部１２の内側に、折り取り部１４を形成するとともに、支持突起１３の、支承部１２の外側に位置する少なくとも１つについて、工具係合部１５を形成したこと。【選択図】図１
2007262670.tif 000002
【特許請求の範囲】
【請求項１】
一対の型枠を所定間隔をおいて対向配置するための間隔保持具であって、
一枚の台板の一部を前記各型枠の下端を支承することになる支承部とし、この支承部の両側に、前記各型枠の下部両面にそれぞれ当接する少なくとも一対の支持突起を立ち上げ形成し、前記台板の前記支承部の内側に、折り取り部を形成するとともに、
前記支持突起の、前記支承部の外側に位置する少なくとも１つについて、工具係合部を形成したことを特徴とするコンクリート型枠のための間隔保持具。
【請求項２】
前記折り取り部は、前記台板に形成した貫通穴によって構成したことを特徴とする請求項１に記載のコンクリート型枠のための間隔保持具。
【請求項３】
前記折り取り部は、前記台板に形成した凹溝であることを特徴とする請求項１に記載のコンクリート型枠のための間隔保持具。
【請求項４】
少なくとも１つの前記支持突起について、これを他の前記支持突起とは反対側に折り曲げて、その内側端部が防湿基礎コンクリートの外端面に当接し得るようにしたことを特徴とする請求項１〜請求項３のいずれかに記載のコンクリート型枠のための間隔保持具。
【発明の詳細な説明】
【技術分野】
【０００１】
本発明は、防湿基礎コンクリート上に布基礎コンクリートを形成する型枠を支持する間隔保持具に関し、特に、その大半がコンクリート内に埋め殺しされることになる型枠の間隔保持具に関するものである。
【背景技術】
【０００２】
埋立地や地盤の悪い場所等において建物を建築する場合には、図３にも示すように、まず、地表面に形成された捨コンクリートの上面全体に防湿基礎コンクリート３１を成形し、その防湿基礎コンクリート３１の上部外周等に布基礎コンクリート３２を成形することがなされている。
【０００３】
つまり、図３、図５あるいは図７に示すように、この布基礎コンクリート３２の成形に際し、まず捨コンクリート上に「防湿基礎コンクリート用の型枠２０」を組付配置すると共に鉄筋を組付配置して、その型枠２０内に防湿基礎コンクリート３１を打設成形する。そして、この防湿基礎コンクリート３１が硬化した後に、その上部の外周等に「布基礎コンクリート用の型枠２０」を組付配置して、その型枠２０内に布基礎コンクリート３２を打設成形するのである。
【０００４】
この「布基礎コンクリート用の型枠２０」は、図３等にも示すように、防湿基礎コンクリート３１の上部外周等に垂直に立った状態の布基礎コンクリート３２を成形するものであるから、二枚のものが所定間隔を置いて対向配置されなければならない。そこで、必要になってくるのが、二枚の型枠２０を所定間隔を置いて垂直状態に保つための「間隔保持具」であるが、このような間隔保持具としては、特許文献１や特許文献２にその具体例が見られる。
【特許文献１】特開２００１−０３２５２３号公報、要約、代表図
【特許文献２】特開２００１−１９３０７８号公報、要約、代表図
【発明の開示】
【発明が解決しようとする課題】
【０００５】
特許文献１に記載された「型枠支持具」は、「住宅の基礎構造のコンクリート打設工程において、住宅基礎のフーチング部及びスラブの高さの調節及び住宅基礎の立ち上がり部分の組み立てができる型枠間隔保持具を提供する」ことを目的としてなされたもので、図５及び図６に示すように、「２枚の型枠の下端を所定間隔で保持するための型枠受け部材と、該型枠受け部材を載置する台座を設けた支持部材に連設して高さを調節可能に形成された支持脚部を設けてなる保持部材、とからなる型枠間隔保持具」といった構成を有するものである。
【０００６】
確かに、この特許文献１の型枠支持具は、上記の構成を採用することによって、「住宅基礎のフーチング部及びスラブの高さの調節及び住宅基礎の立ち上がり部分の組み立てができる」と考えられるが、構造部材が多くて実際の作業には不向きではないかと考えられる。
【０００７】
それだけでなく、この特許文献１の型枠支持具では、型枠２０を外側で支えている部分が布基礎コンクリート３２完成後に露出することになり、これが風雨に晒されると腐食して変色し、建物の美しさを阻害することになる可能性がある。また、支持具の露出部分から布基礎コンクリート３２内に水が浸み込むこともあり得ると考えられる。
【０００８】
この点、特許文献２の「ベタ基礎イッパツ仕上げ型枠止め金具及びその施工方法」では、「型枠を組む為にコンクリートベースに釘を打ち込む作業や型枠止め金具を伝って床下に水が入る等の不具合をなくし、作業の簡便さとコストの低減且つ強度のある高品質の高耐久住宅基礎工事を提供すること」を目的としてなされたものであるから、布基礎コンクリート３２内に水が浸み込むことはないと考えられる。
【０００９】
しかしながら、この特許文献２の「型枠止め金具」では、図７及び図８に示すように、「帯状部材に適切な寸法と形状の型枠受け部（１）を持ち、基礎寸法出し部（２）を兼ねたコンクリート差し込み部（３）をもつ型枠止め金具４本体で適切な箇所から折り曲げて使用する」という構成を有するものであるから、図７に示したように、防湿基礎コンクリート３１が硬化する前に施工しなければならないものである。何故なら、この特許文献２の「型枠止め金具」は、型枠止め金具４本体で適切な箇所から折り曲げて、そのコンクリート差し込み部（３）を硬化していない防湿基礎コンクリート３１内に差し込まなければならないからである。
【００１０】
そうすると、この特許文献２の「型枠止め金具」は、硬化していない防湿基礎コンクリート３１上に設置しなければならなくなって、その位置決めが不安定な状態で行わなければならないことになる。それだけでなく、図７の記載からすると、防湿基礎コンクリート３１上に立てた型枠２０の図示右側下方には、依然として「型枠止め金具」が露出しているから、型枠２０を外した後には、この露出部分の「後処理」を行わなければならない。
【００１１】
そこで、本発明者等は、防湿基礎コンクリート３１の上部外周等に垂直に立った状態の布基礎コンクリート３２を形成する際に使用する「コンクリート型枠」の間隔保持具について、型枠２０を確実に位置決め支持することができて、後処理が容易となる間隔保持具とするにはどうしたらよいか、について種々検討を重ねてきた結果、本発明を完成したのである。
【００１２】
すなわち、本発明の目的とするところは、型枠支持を確実に行えて、コンクリート硬化後の突出部分の後処理も簡単であり、製造も簡単に行えるコンクリート型枠配置用の間隔保持具を提供することにある。
【課題を解決するための手段】
【００１３】
以上の課題を解決するために、まず、請求項１に係る発明の採った手段は、後述する最良形態の説明中で使用する符号を付して説明すると、
「一対の型枠２０を所定間隔をおいて対向配置するための間隔保持具１０であって、
一枚の台板１１の一部を各型枠２０の下端を支承することになる支承部１２とし、この支承部１２の両側に、各型枠２０の下部両面にそれぞれ当接する少なくとも一対の支持突起１３を立ち上げ形成し、台板１１の支承部１２の内側に、折り取り部１４を形成するとともに、
支持突起１３の、支承部１２の外側に位置する少なくとも１つについて、工具係合部１５を形成したことを特徴とするコンクリート型枠２０のための間隔保持具１０」
である。
【００１４】
すなわち、この請求項１に係る間隔保持具１０は、図３に示すように、一対の型枠２０を所定間隔をおいて対向配置するためのものである。そして、この間隔保持具１０は、例えば一枚の金属板をプレス加工することにより、図１及び図４に示すように、防湿基礎コンクリート３１上に載置されることになる台板１１と、この台板１１の両側に位置する支承部１２と、これらの支承部１２の周囲に形成した複数の支持突起１３と、各支承部１２と台板１１との間に形成した折り取り部１４と、複数の支持突起１３の少なくとも１つに形成した工具係合部１５とを形成したものである。
【００１５】
換言すれば、この間隔保持具１０は、金属板を単にプレス加工することによって簡単に形成することができるのである。勿論、上記のような構造のものとして、例えば合成樹脂を材料としてもよく、その場合には、金属板を内部にモールドして製造しても良い結果がえられる。
【００１６】
台板１１は、上述したように、防湿基礎コンクリート３１の端部上面に載置されるものであり、その両側に形成した支承部１２間の寸法を確実に維持することができる程度の剛性を有したものである。この台板１１の、後述する折り取り部１４より内側に位置する部分にも、図１及び図４に示すように、支持突起１３が形成してある。
【００１７】
各支承部１２は、型枠２０の下端を支承するものであり、台板１１の長さ方向に対する長さは、各型枠２０の下端面の幅と同一となるようにしてある。勿論、各支承部１２の長さは、その両側に位置する各支持突起１３の端面間の距離によって決定されていることは言うまでもない。
【００１８】
各折り取り部１４は、この部分によって当該間隔保持具１０を折り取るために形成したものである。間隔保持具１０の折り取られる部分としては、図３に示すように、防湿基礎コンクリート３１より外側に出る部分であり、布基礎コンクリート３２となるべき生コン４０の打設硬化後に型枠２０を外してから折り取られる。従って、この折り取り部１４としては、後述するような貫通穴１４ａや貫通長穴、あるいは凹溝１４ｂが具体的に考えられるのであり、金属板を折り取れるのであれば種々な形状のものが考えられる。
【００１９】
各支持突起１３は、材料である金属板を立ち上げるように折り曲げて形成したものであり、間隔保持具１０全体の剛性を確保するためにものであると同時に、各支承部１２の周囲防湿基礎コンクリート３１に立ち上がっていることにより、型枠２０の載置及び収納空間を各支承部１２上に形成するものでもある。
【００２０】
そして、この間隔保持具１０は、上述した各支持突起１３の、支承部１２の外側に位置する少なくとも１つについて、図１及び図４に示すように、工具係合部１５を形成したのである。
【００２１】
この工具係合部１５は、上述した折り取り部１４にて当該間隔保持具１０の一部を折り取る際に使用されるものであり、例えばドライバーやバールの先が挿入できる程度の穴としてある。つまり、この工具係合部１５にドライバーやバールの先を挿入して、このドライバーやバールを強制的に捻ったり回したりすることによって、当該間隔保持具１０の防湿基礎コンクリート３１より外になった部分が折り取り部１４から折り取られるのである。
【００２２】
なお、後述する最良形態では、図３にも示すように、この工具係合部１５を形成した支持突起１３に対向している支持突起１３の高さを、工具係合部１５の位置より低くなるようにしてある。これにより、工具係合部１５に挿通したドライバーやバールの先端を他の支持突起１３の上に係合させることができるのであり、折り取り部１４での間隔保持具１０の折り取りをより一層容易にしている。
【００２３】
以上のようにして使用する工具係合部１５としては、図１にも示した穴で有れば十分であるが、他に、例えば支持突起１３に対して折り曲げた「引っ掛かり部分」としたり、支持突起１３の端部に形成した「凹部」としたり、種々な形態のものが考えられる。
【００２４】
さて、図３に示すように、以上のように構成した当該間隔保持具１０を介在させながら、布基礎コンクリート３２を防湿基礎コンクリート３１上に形成するための型枠２０を立設した後に、これらの型枠２０内に生コン４０を打設する。この生コン４０が硬化した後に両型枠２０を取り外せば、当該間隔保持具１０の両折り取り部１４より先の部分が布基礎コンクリート３２の下端の両側に露出することになる。
【００２５】
図３の図示左側に出ている支承部１２や支持突起１３は、その全体をハンマー等によって叩けば、防湿基礎コンクリート３１の左端面上方に位置している折り取り部１４によって簡単に折り取ることができる。このときできた間隔保持具１０の破断面は台板１１の板厚程度で露出することになるが、この破断面についてはモルタル塗布等の養生を行えば、雨の侵入や錆の発生を簡単に防止できる。
【００２６】
一方、図３の図示右側に出ている支承部１２や支持突起１３は、上述したように、支持突起１３に設けておいた工具係合部１５にドライバーやバールの先を挿入して、このドライバーやバールを強制的に捻ったり回したりすることによって、当該間隔保持具１０の防湿基礎コンクリート３１より外になった部分が折り取り部１４にて折り取られるのである。このときできた間隔保持具１０の破断面についても、モルタル塗布等の養生を行えば、雨の侵入や錆の発生を簡単に防止できる。
【００２７】
なお、生コン４０が完全に硬化していないときに、上記のような各折り取り部１４での折り取り作業を行う場合があり得るが、その場合には、各型枠２０の内側にあった支持突起１３及び台板１１が半硬化状態の生コン４０内に存在しているから、折り取り作業時の抵抗を発生させる部材となる。つまり、支持突起１３や台板１１が存在していることによって、これらの台板１１や支持突起１３の周囲にある半硬化状態の生コン４０に対して折り取り作業時の衝撃を分散させるため、半硬化状態の生コン４０に亀裂が発生したり、破損させるようなことはない。
【００２８】
従って、この請求項１に係る間隔保持具１０は、型枠支持を確実に行えて、コンクリート硬化後の突出部分の後処理も簡単であり、製造も簡単に行えるものとなっているのである。
【００２９】
また、上記課題を解決するために、請求項２に係る発明の採った手段は、上記請求項１に記載のコンクリート型枠２０のための間隔保持具１０について、
「折り取り部１４は、台板１１に形成した貫通穴１４ａによって構成したこと」
である。
【００３０】
すなわち、この請求項２の間隔保持具１０では、その各折り取り部１４を、図１及び図２に示すように、台板１１に形成した貫通穴１４ａによって構成したものである。この場合、図１に示すような小さな丸穴である貫通穴１４ａを複数直線状に並べて配置してもよいし、１つの貫通穴１４ａを長穴形状のものとして実施してもよい。これにより、折り取り部１４には貫通部分が出来ていることになるから、防湿基礎コンクリート３１から出る間隔保持具１０の部分の折り取り作業をより一層容易にするのである。
【００３１】
従って、この請求項２に係る間隔保持具１０は、上記請求項１のそれと同様な機能を発揮する他、間隔保持具１０の折り取り作業がより一層容易になっているのである。
【００３２】
さらに、上記課題を解決するために、請求項３に係る発明の採った手段は、上記請求項１に記載のコンクリート型枠２０のための間隔保持具１０について、
「折り取り部１４は、台板１１に形成した凹溝１４ｂであること」
である。
【００３３】
すなわち、この請求項３の間隔保持具１０では、その各折り取り部１４を、図４に示すように、台板１１上に形成した凹溝１４ｂによって構成したものである。これにより、折り取り部１４には言わば「折り目」が出来ていることになるから、防湿基礎コンクリート３１から出る間隔保持具１０の部分の折り取り作業をより一層容易にするのである。
【００３４】
従って、この請求項３に係る間隔保持具１０も、上記請求項１のそれと同様な機能を発揮する他、間隔保持具１０の折り取り作業がより一層容易になっているのである。
【００３５】
そして、上記課題を解決するために、請求項４に係る発明の採った手段は、上記請求項１〜請求項３のいずれかに記載のコンクリート型枠２０のための間隔保持具１０について、
「少なくとも１つの支持突起１３について、これを他の支持突起１３とは反対側に折り曲げて、その内側端部１３ａが防湿基礎コンクリート３１の外端面に当接し得るようにしたこと」
である。
【００３６】
すなわち、この請求項４に係る間隔保持具１０では、図４及び図３中の仮想線にて示すように、１つの支持突起１３について、これを他の支持突起１３とは反対側に折り曲げたものであり、その内側端部１３ａを防湿基礎コンクリート３１の外端面に当接するようにしたものである。
【００３７】
この結果、この請求項４の間隔保持具１０は、これを設置するに際して、台板１１を防湿基礎コンクリート３１上に載置するとともに、支持突起１３の内側端部１３ａを防湿基礎コンクリート３１の外端面（垂直面）に当接させれば、図３に示すように、その設置位置が自動的にきまるのであり、メジャー等を使用して位置決めを行う必要が全くないのである。
【００３８】
従って、この請求項４に係る間隔保持具１０は、上記請求項１〜請求項３の何れかに係るそれと同様な機能を発揮する他、当該間隔保持具１０の設置及び位置決め作業を非常に簡単に行えるものとなっているのである。
【発明の効果】
【００３９】
以上、説明した通り、本発明は、
「一対の型枠２０を所定間隔をおいて対向配置するための間隔保持具１０であって、
一枚の台板１１の一部を各型枠２０の下端を支承することになる支承部１２とし、この支承部１２の両側に、各型枠２０の下部両面にそれぞれ当接する少なくとも一対の支持突起１３を立ち上げ形成し、台板１１の支承部１２の内側に、折り取り部１４を形成するとともに、
支持突起１３の、支承部１２の外側に位置する少なくとも１つについて、工具係合部１５を形成したこと」
にその構成上の主たる特徴があり、これにより、
型枠支持を確実に行えて、コンクリート硬化後の突出部分の後処理も簡単であり、製造も簡単に行えるコンクリート型枠２０ための間隔保持具１０を提供することができるのである。
【発明を実施するための最良の形態】
【００４０】
次に、以上のように構成した各請求項に係る発明を、図面に示した最良の形態である間隔保持具１０について説明するが、この最良形態の間隔保持具１０は実施例１と実施例２のものがある。
【００４１】
（実施例１）
図１〜図３には、本発明の実施例１に係る間隔保持具１０が示してあるが、この間隔保持具１０は、一枚の台板１１の一部を各型枠２０の下端を支承することになる支承部１２とし、この支承部１２の両側に、各型枠２０の下部両面にそれぞれ当接する少なくとも一対の支持突起１３を立ち上げ形成し、台板１１の支承部１２の内側に、折り取り部１４を形成するとともに、支持突起１３の、支承部１２の外側に位置する少なくとも１つについて、工具係合部１５を形成したものである。
【００４２】
台板１１は、図３に示したように、完成された防湿基礎コンクリート３１の端部に載置されるものであり、その上に布基礎コンクリート３２が形成されることになる部分である。もし、この台板１１を介して防湿基礎コンクリート３１と布基礎コンクリート３２とを一体化したい場合には、この台板１１にその必要な剛性を喪失させない程度に穴を形成し、この穴を通して布基礎コンクリート３２側の生コン４０が防湿基礎コンクリート３１に接触するように実施してもよい。
【００４３】
上記台板１１の両側部分に形成した各支承部１２は、各型枠２０の下端面を支承するものであるから、各型枠２０の幅程度の広さのものに形成してある。勿論、これらの支承部１２も平面的である方がよいが、この最良形態では、この支承部１２の側面にも、後述する支持突起１３が折曲形成してある。
【００４４】
各支持突起１３は、上記支承部１２を囲むような状態で複数形成してあるが、図３にも示すように、それぞれの高さは同一ではない。特に、後述する工具係合部１５を形成した支持突起１３については、この工具係合部１５が他の支持突起１３より上方になるように、高さが高いものとしてある。また、これらの支持突起１３は、支承部１２上にはめ込んだ型枠２０の位置決めの機能をも発揮するものである。
【００４５】
折り取り部１４としては、この実施例１では、複数の貫通穴１４ａによって形成してある。この場合、端部に位置することになる貫通穴１４ａについては、「穴」ではなく「凹部」となるようにしておき、この部分が折り取り時の応力集中部分とするようにして、折り取り作業が簡単かつ確実となるようにしてある。
【００４６】
支持突起１３の凹溝１４ｂの１つについて形成した最良形態の工具係合部１５は、図３に示したように「丸穴」であるが、この形状には拘らないものである。要するに、この工具係合部１５は、ドライバーやバール等の工具が係止できれば十分であり、支持突起１３に対して折り曲げられた突起であってもよいものである。
【００４７】
（実施例２）
図４には、実施例２に係る間隔保持具１０が示してあるが、この間隔保持具１０の、実施例１のそれと異なる点は、少なくとも１つの支持突起１３について、これを他の支持突起１３とは反対側に折り曲げて、その内側端部１３ａが防湿基礎コンクリート３１の外端面に当接し得るようにしたことと、折り取り部１４として凹溝１４ｂを採用したことである。
【００４８】
他の支持突起１３とは反対側に折り曲げた少なくとも１つの支持突起１３が存在することによって、図３中の仮想線にて示したように、この支持突起１３についてみてみると、その内側端部１３ａが防湿基礎コンクリート３１の外端面に当接し得るものとなる。何故なら、当該支持突起１３以外は台板１１より上方に位置しているからである。
【００４９】
勿論、折り取り部１４として凹溝１４ｂを採用したことによって、この折り取り部１４から外側が完成された布基礎コンクリート３２の外側に出るものであることが認識でき、当該間隔保持具１０を防湿基礎コンクリート３１上に設置する際の大きな目安、メジャーとなるものである。
【図面の簡単な説明】
【００５０】
【図１】本発明の実施例１に係る間隔保持具の斜視図である。
【図２】同間隔保持具の平面図である。
【図３】同間隔保持具を防湿基礎コンクリート上に設置したときの正面図である。
【図４】本発明の実施例２に係る間隔保持具の斜視図である。
【図５】従来の技術を示す斜視図である。
【図６】図５中において使用されている間隔保持具の拡大斜視図である。
【図７】従来の他の技術を示す部分断面図である。
【図８】図７に示された間隔保持具を示すもので、（ａ）はその一部を折り曲げた時の斜視図、（ｂ）は通常時の斜視図である。
【符号の説明】
【００５１】
１０    間隔保持具
１１    台板
１２    支承部
１３    支持突起
１３ａ  内側端部
１４    折り取り部
１４ａ  貫通穴
１４ｂ  凹溝
１５    工具係合部
２０    型枠
３１    防湿基礎コンクリート
３２    布基礎コンクリート
４０    生コン
【図１】
2007262670.tif 000003
【図２】
2007262670.tif 000004
【図３】
2007262670.tif 000005
【図４】
2007262670.tif 000006
【図５】
2007262670.tif 000007
【図６】
2007262670.tif 000008
【図７】
2007262670.tif 000009
【図８】
2007262670.tif 000010